(57)【要約】【課題】入浴時の快適性の向上と、熱源機の燃焼効率の向上とを両立させることが目的である。【解決手段】暖房システム１０は、温水が循環する往路管５０及び復路管６０と接続されると共に、復路管６０を通じて戻される温水をガスバーナ２２で加熱する熱源機２０と、往路管５０及び復路管６０を介して熱源機２０と接続されて熱源機２０との間で温水が循環されると共に、熱源機２０から供給された温水の熱を利用して浴室を暖房する浴室暖房機３０と、復路管６０に接続され、浴室暖房機３０を経由した温水の熱を利用して脱衣室を暖房するファンコンベクタ４０とを備えている。【選択図】図１
2014190623.tif 000002
【特許請求の範囲】
【請求項１】
温水が循環する往路管及び復路管と接続されると共に、前記復路管を通じて戻される温水をガスバーナの熱を利用して加熱する熱源機と、
前記往路管及び前記復路管を介して前記熱源機と接続されて前記熱源機との間で前記温水が循環されると共に、前記熱源機から供給された前記温水の熱を利用して浴室を暖房する浴室暖房機と、
前記復路管に接続され、前記浴室暖房機を経由した前記温水の熱を利用して前記浴室又は前記浴室の隣接領域を暖房する補助暖房機と、
を備えた暖房システム。
【請求項２】
前記浴室に設けられ、前記浴室の温度に応じた信号を出力する温度センサと、
前記浴室暖房機による前記浴室の暖房と、前記補助暖房機による前記浴室又は前記隣接領域の暖房とが行われているときに、前記浴室の温度が設定温度になるように前記温度センサから出力された信号に基づいて前記ガスバーナの火力を制御する制御ユニットとをさらに備えた、
請求項１に記載の暖房システム。
【請求項３】
前記温度センサは、前記浴室暖房機に設けられている、
請求項２に記載の暖房システム。
【請求項４】
前記補助暖房機は、前記隣接領域としての脱衣室に設置され、前記脱衣室を暖房するファンコンベクタである、
請求項１〜請求項３のいずれか一項に記載の暖房システム。
【請求項５】
前記ファンコンベクタは、
前記浴室暖房機を経由した前記温水が流通する放熱器と、
前記放熱器によって加温された空気を温風として吹出させるファンと、
前記ファンを起動及び停止させるための起動スイッチとを有している、
請求項４に記載の暖房システム。
【請求項６】
前記浴室暖房機は、前記浴室の上部に設置され、前記浴室に温風を吹出し、
前記補助暖房機は、前記浴室の床部に設置され、前記床部を加温する浴室床暖房機である、
請求項１〜請求項３のいずれか一項に記載の暖房システム。
【請求項７】
前記復路管は、前記補助暖房機に対する上流側に位置する上流側復路管と、前記補助暖房機に対する下流側に位置する下流側復路管とを有し、
前記往路管と前記上流側復路管とは、バイパス管によって連結され、
前記往路管と前記バイパス管との接続部、又は、前記バイパス管と前記上流側復路管との接続部には、流路切替弁が設けられている、
請求項１〜請求項６のいずれか一項に記載の暖房システム。
【請求項８】
前記復路管は、前記補助暖房機に対する上流側に位置する上流側復路管と、前記補助暖房機に対する下流側に位置する下流側復路管とを有し、
前記上流側復路管と前記下流側復路管とは、バイパス管によって連結され、
前記上流側復路管と前記バイパス管との接続部、又は、前記バイパス管と前記下流側復路管との接続部には、流路切替弁が設けられている、
請求項１〜請求項６のいずれか一項に記載の暖房システム。
【発明の詳細な説明】
【技術分野】
【０００１】
本発明は、暖房システムに関する。
【背景技術】
【０００２】
従来、熱源機と、熱源機から供給された温水を放熱器で空気と熱交換させて浴室に温風を吹出する浴室暖房機と、熱源機から供給された温水を流通させて浴室の床を暖房する浴室床暖房機とを備えた暖房システムが知られている（例えば、特許文献１、特許文献２参照）。
【０００３】
このような暖房システムでは、浴室暖房機から吹出された温風により浴室内を暖房できると共に、浴室床暖房機によって浴室の床を暖房できるので、入浴時の快適性が向上される。
【先行技術文献】
【特許文献】
【０００４】
【特許文献１】特開２００２−１３０７１４号公報
【特許文献２】特開２００３−１６６７２２号公報
【発明の概要】
【発明が解決しようとする課題】
【０００５】
しかしながら、上記従来の暖房システムでは、一つの熱源機に対して浴室暖房機及び浴室床暖房機が並列に接続されており、浴室暖房機による放熱と浴室床暖房機による放熱とが互いに独立した温水循環回路においてそれぞれ行われる。このため、各温水循環回路では、浴室暖房機及び浴室床暖房機を通過した温水が温度の高い状態で熱源機にそれぞれ戻される。従って、熱源機からの往きの温水の温度と、熱源機への戻りの温水の温度との差が小さいので、熱源機の燃焼効率が低いという課題がある。
【０００６】
そこで、本発明は、入浴時の快適性の向上と、熱源機の燃焼効率の向上とを両立させることができる暖房システムを提供することを目的とする。
【課題を解決するための手段】
【０００７】
上記目的を達成するために、請求項１に記載の暖房システムは、温水が循環する往路管及び復路管と接続されると共に、前記復路管を通じて戻される温水をガスバーナの熱を利用して加熱する熱源機と、前記往路管及び前記復路管を介して前記熱源機と接続されて前記熱源機との間で前記温水が循環されると共に、前記熱源機から供給された前記温水の熱を利用して浴室を暖房する浴室暖房機と、前記復路管に接続され、前記浴室暖房機を経由した前記温水の熱を利用して前記浴室又は前記浴室の隣接領域を暖房する補助暖房機と、を備えている。
【０００８】
この暖房システムによれば、往路管及び復路管を介して熱源機と浴室暖房機とが接続されており、この熱源機と浴室暖房機との間で温水が循環される。そして、浴室暖房機は、熱源機から供給された温水の熱を利用して浴室を暖房する。また、浴室暖房機と熱源機とを接続する復路管には、補助暖房機が接続されており、この補助暖房機は、浴室暖房機を経由した温水の熱を利用して浴室又はその隣接領域を暖房する。従って、浴室暖房機により浴室が暖房されることに加え、補助暖房機により浴室又はその隣接領域が暖房されるので、入浴時の快適性を向上させることができる。
【０００９】
しかも、補助暖房機は、浴室暖房機と熱源機とを接続する復路管に接続されており、浴室暖房機を経由した温水の熱を利用して浴室又はその隣接領域を暖房する。つまり、この暖房システムでは、一つの熱源機に対して浴室暖房機及び補助暖房機が直列に接続されており、一つの温水循環回路において浴室暖房機及び補助暖房機の両方で放熱が行われる。このため、浴室暖房機及び浴室床暖房機を通過し放熱した温水が温度の低い状態で熱源機に戻される。従って、熱源機からの往きの温水の温度と、熱源機への戻りの温水の温度との差を大きくすることができるので、熱源機の燃焼効率を向上させることができる。
【００１０】
請求項２に記載の暖房システムは、請求項１に記載の暖房システムにおいて、前記浴室に設けられ前記浴室の温度に応じた信号を出力する温度センサと、前記浴室暖房機による前記浴室の暖房と、前記補助暖房機による前記浴室又は前記隣接領域の暖房とが行われているときに前記浴室の温度が設定温度になるように前記温度センサから出力された信号に基づいて前記ガスバーナの火力を制御する制御ユニットとをさらに備えたものである。
【００１１】
この暖房システムによれば、浴室暖房機による浴室の暖房と、補助暖房機による浴室又はその隣接領域の暖房とが行われているときでも、浴室の温度が設定温度になるように、浴室に設けられた温度センサから出力された信号に基づいてガスバーナの火力が制御ユニットにより制御される。これにより、浴室の温度が設定温度を超えることを抑制することができるので、入浴時の快適性を確保することができる。
【００１２】
請求項３に記載の暖房システムは、請求項２に記載の暖房システムにおいて、前記温度センサが前記浴室暖房機に設けられたものである。
【００１３】
この暖房システムによれば、温度センサは、浴室暖房機及び補助暖房機のうち浴室暖房機に設けられており、補助暖房機では温度の検出を行わないので、補助暖房機の構造を簡素化することができる。
【００１４】
請求項４に記載の暖房システムは、請求項１〜請求項３のいずれか一項に記載の暖房システムにおいて、前記補助暖房機が前記隣接領域としての脱衣室に設置され前記脱衣室を暖房するファンコンベクタとされたものである。
【００１５】
この暖房システムによれば、補助暖房機としてのファンコンベクタにより脱衣室が暖房される。これにより、浴室と脱衣室との温度差を小さくすることができるので、入浴者が脱衣室から浴室に移動する際に、入浴者の体に掛かる負担を軽減することができる。
【００１６】
請求項５に記載の暖房システムは、請求項４に記載の暖房システムにおいて、前記ファンコンベクタが、前記浴室暖房機を経由した前記温水が流通する放熱器と、前記放熱器によって加温された空気を温風として吹出させるファンと、前記ファンを起動及び停止させるための起動スイッチとを有しているものである。
【００１７】
この暖房システムによれば、起動スイッチを操作することにより、ファンコンベクタからの温風の吹出と停止とを切り替えることができる。これにより、ファンコンベクタの利便性を確保することができる。
【００１８】
請求項６に記載の暖房システムは、請求項１〜請求項３のいずれか一項に記載の暖房システムにおいて、前記浴室暖房機が前記浴室の上部に設置され前記浴室に温風を吹出し、前記補助暖房機が前記浴室の床部に設置され前記床部を加温する浴室床暖房機とされたものである。
【００１９】
この暖房システムによれば、浴室の上部に設置された浴室暖房機によって浴室に温風が吹出されると共に、浴室の床部に設置された補助暖房機としての浴室床暖房機によって浴室の床部が加温される。これにより、浴室を素早く暖房することができるので、浴室の利便性を向上させることができる。
【００２０】
請求項７に記載の暖房システムは、請求項１〜請求項６のいずれか一項に記載の暖房システムにおいて、前記復路管が、前記補助暖房機に対する上流側に位置する上流側復路管と、前記補助暖房機に対する下流側に位置する下流側復路管とを有し、前記往路管と前記上流側復路管とがバイパス管によって連結され、前記往路管と前記バイパス管との接続部、又は、前記バイパス管と前記上流側復路管との接続部に流路切替弁が設けられたものである。
【００２１】
この暖房システムによれば、流路切替弁の切替に応じて、温水が往路管から浴室暖房機を通じて復路管に流れる状態と、温水が往路管から浴室暖房機を経由せずにバイパス管を通じて復路管に流れる状態とに切り替わる。これにより、浴室暖房機によって浴室が暖房されると共に補助暖房機によって浴室又はその隣接領域が暖房される状態と、浴室暖房機によって浴室が暖房されないが補助暖房機によって浴室又はその隣接領域が暖房される状態とに切り替えることができる。
【００２２】
請求項８に記載の暖房システムは、請求項１〜請求項６のいずれか一項に記載の暖房システムにおいて、前記復路管が、前記補助暖房機に対する上流側に位置する上流側復路管と、前記補助暖房機に対する下流側に位置する下流側復路管とを有し、前記上流側復路管と前記下流側復路管とがバイパス管によって連結され、前記上流側復路管と前記バイパス管との接続部、又は、前記バイパス管と前記下流側復路管との接続部に流路切替弁が設けられたものである。
【００２３】
この暖房システムによれば、流路切替弁の切替に応じて、温水が上流側復路管から補助暖房機を通じて下流側復路管に流れる状態と、温水が上流側復路管から補助暖房機を経由せずにバイパス管を通じて下流側復路管に流れる状態とに切り替わる。これにより、浴室暖房機によって浴室が暖房されると共に補助暖房機によって浴室又はその隣接領域が暖房される状態と、浴室暖房機によって浴室が暖房されるが補助暖房機によって浴室又はその隣接領域が暖房されない状態とに切り替えることができる。
【発明の効果】
【００２４】
以上詳述したように、本発明によれば、入浴時の快適性の向上と、熱源機の燃焼効率の向上とを両立させることができる。
【図面の簡単な説明】
【００２５】
【図１】本発明の第一実施形態に係る暖房システムの全体図である。
【図２】本発明の第一実施形態に係る暖房システムの変形例を示す図である。
【図３】本発明の第二実施形態に係る暖房システムの全体図である。
【図４】本発明の第二実施形態に係る暖房システムの変形例を示す図である。
【発明を実施するための形態】
【００２６】
［第一実施形態］
はじめに、本発明の第一実施形態について説明する。
【００２７】
図１に示されるように、本発明の第一実施形態に係る暖房システム１０は、熱源機２０と、浴室暖房機３０と、補助暖房機としてのファンコンベクタ４０と、往路管５０と、復路管６０とを備えている。
【００２８】
熱源機２０は、屋外に設置されており、送風機２１と、ガスバーナ２２と、調節弁２３と、熱交換器２４と、循環ポンプ２５とを有している。送風機２１は、ガスバーナ２２に送風し、ガスバーナ２２は、ガス配管２６を通じて供給されたガス（例えば都市ガス）を燃焼する。調節弁２３は、ガス配管２６に設けられた電磁弁であり、ガス配管２６を通るガスの流量を調節する。ガス配管２６を通るガスの流量が調節弁２３によって調節されると、ガスバーナ２２の火力が調節される。
【００２９】
熱交換器２４は、往路管５０及び復路管６０と接続されている。熱交換器２４には、往路管５０及び復路管６０を循環する温水が流通する。ガスバーナ２２が点火されると、熱交換器２４を流通する温水が加熱される。また、ガスバーナ２２の火力が調節されることにより、熱交換器２４を流通する温水の温度が調節される。循環ポンプ２５は、熱交換器２４の往路管５０側に接続されている。循環ポンプ２５が作動すると、往路管５０及び復路管６０を温水が循環する。
【００３０】
浴室暖房機３０は、浴槽１０１が設けられた浴室１００の上部（一例として、浴室１００の天井部）に設置されている。この浴室暖房機３０は、ユニット本体３１と、放熱器３２と、ファン３３とを有している。放熱器３２及びファン３３は、箱型のユニット本体３１に収容されている。
【００３１】
この浴室暖房機３０は、熱源機２０から供給された温水の熱を利用して浴室１００を暖房するものであり、具体的には、以下のような構成となっている。つまり、放熱器３２の入口は、往路管５０を介して熱交換器２４の出口と接続されており、放熱器３２には、熱交換器２４にて加熱された温水が往路管５０を通じて供給される。この放熱器３２には、熱交換器２４にて加熱された温水が流通する。加熱された温水が放熱器３２を流通すると、放熱器３２を通過する空気が温水と熱交換して加温される。
【００３２】
ファン３３は、放熱器３２に隣接して配置されている。ファン３３が作動すると、ユニット本体３１に設けられた吸込口３４から浴室内の空気がユニット本体３１内に吸い込まれる。また、ファン３３の作動によりユニット本体３１内に吸い込まれた空気は、放熱器３２を通過して加温され、ユニット本体３１に設けられた吹出口３５から浴室１００に温風として吹出される。
【００３３】
また、この浴室暖房機３０には、換気機構７０が設けられている。換気機構７０は、換気通路７２と、ファン７３とを有している。ファン７３が作動すると、ユニット本体３１に設けられた吸込口３４から浴室内の空気がユニット本体３１内に吸い込まれると共に、このユニット本体３１内に吸い込まれた空気が換気通路７２を通じて屋外に排出される。
【００３４】
ファンコンベクタ４０は、浴室１００に隣接して設けられた隣接領域としての脱衣室１０２に設置されている。このファンコンベクタ４０は、筐体４１と、放熱器４２と、ファン４３と、起動スイッチ４４とを有している。放熱器４２及びファン４３は、筐体４１に収容されており、起動スイッチ４４は、筐体４１に設けられている。
【００３５】
このファンコンベクタ４０は、浴室暖房機３０を経由した温水の熱を利用して脱衣室１０２を暖房するものであり、具体的には、以下のような構成となっている。つまり、復路管６０は、ファンコンベクタ４０に対する上流側に位置する上流側復路管６１と、ファンコンベクタ４０に対する下流側に位置する下流側復路管６２に分割されており、放熱器４２の入口は、上流側復路管６１を介して浴室暖房機３０の放熱器３２の出口と接続されている。
【００３６】
浴室暖房機３０を経由した温水は、上流側復路管６１を通じて放熱器４２に供給される。この放熱器４２には、浴室暖房機３０を経由した温水が流通する。温水が放熱器４２を流通すると、放熱器４２を通過する空気が温水と熱交換して加温される。放熱器４２の出口は、下流側復路管６２を介して熱交換器２４の入口と接続されており、放熱器４２を流通した温水は、下流側復路管６２を通じて熱交換器２４に戻される。
【００３７】
ファン４３は、放熱器４２に隣接して配置されている。起動スイッチ４４をオンにすると、ファン４３に電力が供給され、ファン４３が作動する。また、起動スイッチ４４をオフにすると、ファン４３への電力供給が停止され、ファン４３が停止する。起動スイッチ４４がオンとなってファン４３が作動すると、放熱器４２によって加温された空気が筐体４１に設けられた吹出口４５から脱衣室１０２に温風として吹出される。
【００３８】
また、暖房システム１０は、バイパス管８１と、流路切替弁８２と、温度センサ９１と、リモートコントローラ９２（以下、略してリモコン９２と称する）と、制御ユニット９３とを備えている。
【００３９】
バイパス管８１は、浴室暖房機３０を跨いで配索されており、往路管５０と上流側復路管６１とを連結している。つまり、バイパス管８１の一端は、往路管５０に接続され、バイパス管８１の他端は、上流側復路管６１に接続されている。
【００４０】
流路切替弁８２は、往路管５０とバイパス管８１との接続部に設けられている。この流路切替弁８２は、一例として、電磁弁により構成されている。この流路切替弁８２は、バイパス管８１を封止して往路管５０を全長に亘って連通させる状態と、往路管５０におけるバイパス管８１との接続部よりも下流側を封止して往路管５０とバイパス管８１とを連通させる状態とに切り替わる。流路切替弁８２は、通常、バイパス管８１を封止して往路管５０を全長に亘って連通させる状態になっている。
【００４１】
温度センサ９１は、一例としてユニット本体３１の吸込口３４に設けられている。この温度センサ９１は、吸込口３４に吸い込まれる浴室内の空気の温度に応じた温度検出信号を出力する。
【００４２】
リモコン９２は、一例として浴室１００の側壁に設置されている。このリモコン９２には、運転スイッチ、温度調節スイッチ、暖房運転選択スイッチ、及び、換気運転スイッチなどが設けられている。
【００４３】
制御ユニット９３は、一例として熱源機２０の内部に設けられている。この制御ユニット９３は、各運転を行うためのプログラムなどを記憶したＲＯＭ（読み出し専用メモリ）、温度センサ９１やリモコン９２から出力された信号に基づくデータを一時的に記憶するＲＡＭ（書き換え可能メモリ）、及び、各プログラムを実行するＣＰＵ（中央演算素子）等を有している。
【００４４】
この制御ユニット９３には、温度センサ９１及びリモコン９２の他に、熱源機２０の送風機２１、ガスバーナ２２、調節弁２３、循環ポンプ２５、浴室暖房機３０のファン３３、換気機構７０のファン７３、及び、流路切替弁８２等が電気的に接続されている。
【００４５】
続いて、本発明の第一実施形態に係る暖房システム１０の主な運転動作について説明する。
【００４６】
＜浴室・脱衣室暖房運転＞
リモコン９２の暖房運転選択スイッチが操作されて浴室・脱衣室暖房運転が選択されると、リモコン９２から制御ユニット９３に浴室・脱衣室暖房運転モード選択信号が出力される。制御ユニット９３は、浴室・脱衣室暖房運転モード選択信号を検出すると、浴室・脱衣室暖房運転モードになり、ガスバーナ２２を点火させると共に、熱源機２０の送風機２１、循環ポンプ２５、及び、浴室暖房機３０のファン３３を作動させる。
【００４７】
ガスバーナ２２が点火されると共に、熱源機２０の送風機２１及び循環ポンプ２５が作動されると、熱源機２０にて加熱された温水が往路管５０を通じて浴室暖房機３０の放熱器３２に供給される。加熱された温水が放熱器３２に供給されて放熱器３２を流通すると、ファン３３の作動によりユニット本体３１内に吸い込まれて放熱器３２を通過する空気が温水と熱交換して加温され、ユニット本体３１の吹出口３５から浴室１００に温風が吹出される。これにより、浴室暖房機３０によって浴室１００が暖房される。
【００４８】
また、放熱器３２を流通した温水は、上流側復路管６１を通じてファンコンベクタ４０の放熱器４２に供給され、この放熱器４２に供給された温水は、放熱器４２を流通する。ここで、ファンコンベクタ４０の起動スイッチ４４がオンとされると、ファンコンベクタ４０のファン４３が作動する。ファン４３が作動すると、放熱器４２を通過する空気が温水と熱交換して加温され、ファンコンベクタ４０の吹出口４５から脱衣室１０２に温風が吹出される。これにより、ファンコンベクタ４０によって脱衣室１０２が暖房される。
【００４９】
なお、浴室・脱衣室暖房運転中であっても、ファンコンベクタ４０の起動スイッチ４４がオフとされると、ファンコンベクタ４０のファン４３が停止し、ファンコンベクタ４０からの温風の吹出が停止される。
【００５０】
また、上述の浴室・脱衣室暖房運転中に、温度センサ９１からは、浴室暖房機３０の吸込口３４に吸い込まれる浴室内の空気の温度に応じた温度検出信号が出力される。さらに、リモコン９２にて温度調節スイッチが操作されると、この操作に応じた温度調節信号がリモコン９２から出力される。これら温度検出信号及び温度調節信号は、制御ユニット９３に入力される。
【００５１】
制御ユニット９３は、温度調節信号を検出すると、この温度調節信号に基づくデータをＲＡＭに一時的に記憶する。また、制御ユニット９３は、ＲＡＭに一時的に記憶した温度調節信号に基づくデータと温度検出信号に基づくデータとが一致するように（すなわち、浴室の温度が設定温度になるように）、温度検出信号に基づいて調節弁２３を駆動させてガスバーナ２２の火力を制御する。
【００５２】
なお、温度センサ９１は、浴室暖房機３０に設けられており、ファンコンベクタ４０には特に温度センサが設けられていないが（脱衣室側の温度制御をしていないが）、ファンコンベクタ４０には、浴室暖房機３０を経由することで浴室暖房機３０よりも温度の低い温水が供給されるので、脱衣室１０２が浴室１００よりも温度が高くなることが抑制される。
【００５３】
＜脱衣室暖房運転＞
一方、リモコン９２の暖房運転選択スイッチが操作されて脱衣室暖房運転が選択されると、リモコン９２から制御ユニット９３に脱衣室暖房運転モード選択信号が出力される。制御ユニット９３は、脱衣室暖房運転モード選択信号を検出すると、脱衣室暖房運転モードになり、ガスバーナ２２を点火させると共に、熱源機２０の送風機２１、及び、循環ポンプ２５を作動させるが、浴室暖房機３０のファン３３については停止状態とする。これにより、浴室暖房機３０からの温風の吹出が停止された状態となる。
【００５４】
また、制御ユニット９３は、脱衣室暖房運転モードになると、流路切替弁８２を切替駆動させる。流路切替弁８２が切替駆動されると、往路管５０におけるバイパス管８１との接続部よりも下流側が封止され、往路管５０とバイパス管８１とが連通される。また、熱源機２０にて加熱された温水は、往路管５０から浴室暖房機３０の放熱器３２を通らずにバイパス管８１及び上流側復路管６１を通じてファンコンベクタ４０の放熱器４２に供給される。
【００５５】
そして、ファンコンベクタ４０の起動スイッチ４４がオンとされると、ファン４３が作動すると共に、放熱器４２を通過する空気が温水と熱交換して加温されて、ファンコンベクタ４０から脱衣室１０２に温風が吹出される。
【００５６】
なお、脱衣室暖房運転モードでは、ファンコンベクタ４０による温風の吹出のみが行われるので、好ましくは、制御ユニット９３により調節弁２３が駆動されてガスバーナ２２が弱火に制御される。
【００５７】
続いて、本発明の第一実施形態の作用及び効果について説明する。
【００５８】
以上詳述したように、本発明の第一実施形態に係る暖房システム１０によれば、往路管５０及び復路管６０を介して熱源機２０と浴室暖房機３０とが接続されており、この熱源機２０と浴室暖房機３０との間で温水が循環される。そして、浴室暖房機３０は、熱源機２０から供給された温水の熱を利用して浴室１００を暖房する。また、浴室暖房機３０と熱源機２０とを接続する復路管６０には、ファンコンベクタ４０が接続されており、ファンコンベクタ４０は、浴室暖房機３０を経由した温水の熱を利用して脱衣室１０２を暖房する。従って、浴室暖房機３０により浴室１００が暖房されることに加え、ファンコンベクタ４０により脱衣室１０２が暖房されるので、入浴時の快適性を向上させることができる。
【００５９】
しかも、ファンコンベクタ４０は、浴室暖房機３０と熱源機２０とを接続する復路管６０に接続されており、浴室暖房機３０を経由した温水の熱を利用して脱衣室１０２を暖房する。つまり、この暖房システム１０では、一つの熱源機２０に対して浴室暖房機３０及びファンコンベクタ４０が直列に接続されており、一つの温水循環回路において浴室暖房機３０及びファンコンベクタ４０の両方で放熱が行われる。このため、浴室暖房機３０及びファンコンベクタ４０を通過し放熱した温水が温度の低い状態で熱源機２０に戻される。従って、熱源機２０からの往きの温水の温度と、熱源機２０への戻りの温水の温度との差を大きくすることができるので、熱源機２０（ガスバーナ２２）の燃焼効率を向上させることができる。
【００６０】
このように、本発明の第一実施形態に係る暖房システム１０によれば、入浴時の快適性の向上と、熱源機２０の燃焼効率の向上とを両立させることができる。
【００６１】
また、この暖房システム１０によれば、浴室暖房機３０による浴室１００の暖房と、ファンコンベクタ４０による脱衣室１０２の暖房とが行われているときには、浴室暖房機３０に設けられた温度センサ９１から出力された信号に基づいてガスバーナ２２の火力が制御ユニット９３により制御される。これにより、浴室１００の温度が設定温度を超えることを抑制することができるので、入浴時の快適性を確保することができる。
【００６２】
また、温度センサ９１は、浴室暖房機３０及びファンコンベクタ４０のうち浴室暖房機３０に設けられており、ファンコンベクタ４０では温度の検出を行わないので、ファンコンベクタ４０の構造を簡素化することができる。
【００６３】
なお、上述のように、温度センサ９１を浴室暖房機３０に設けることで浴室側の温度制御をする場合でも、ファンコンベクタ４０には、浴室暖房機３０を経由することで浴室暖房機３０よりも温度の低い温水が供給されるので、脱衣室１０２が浴室１００よりも温度が高くなることを抑制することができる。
【００６４】
また、復路管６０を通じて浴室暖房機３０から熱源機２０に戻る温水をファンコンベクタ４０の熱源として有効に活用するので、暖房システム１０の構成を簡易化することができる。
【００６５】
また、ファンコンベクタ４０によって脱衣室１０２を暖房することにより、浴室１００と脱衣室１０２との温度差を小さくすることができる。これにより、入浴者が脱衣室１０２から浴室１００に移動する際に、入浴者の体に掛かる負担を軽減することができる。
【００６６】
また、起動スイッチ４４を操作することにより、ファンコンベクタ４０からの温風の吹出と停止とを切り替えることができる。これにより、ファンコンベクタ４０の利便性を確保することができる。
【００６７】
また、リモコン９２の切替操作に応じて、浴室暖房機３０から浴室１００に温風が吹出されると共にファンコンベクタ４０から脱衣室１０２に温風が吹出される状態と、浴室暖房機３０から浴室１００に温風が吹出されないがファンコンベクタ４０から脱衣室１０２に温風が吹出される状態とに切り替えることができる。これにより、暖房システム１０の使い勝手を向上させることができる。
【００６８】
なお、通常、熱源機２０から浴室暖房機３０に供給される往きの温水の温度は、約８０℃であり、浴室暖房機３０からの戻り温水の温度は、約５０℃〜６０℃程度である。従って、浴室暖房機３０を経由した温水でも、脱衣室１０２を暖房するのに必要な熱量を有しているので、この浴室暖房機３０を経由した温水の熱を暖房用に利用可能である。
【００６９】
続いて、本発明の第一実施形態の変形例について説明する。
【００７０】
本発明の第一実施形態において、流路切替弁８２は、往路管５０とバイパス管８１との接続部に設けられていたが、バイパス管８１と上流側復路管６１との接続部に設けられていても良い。そして、この流路切替弁８２は、バイパス管８１を封止して上流側復路管６１を全長に亘って連通させる状態と、上流側復路管６１におけるバイパス管８１との接続部よりも上流側を封止してバイパス管８１と上流側復路管６１とを連通させる状態とに切り替わっても良い。
【００７１】
このように構成されていても、流路切替弁８２の切替に応じて、温水が往路管５０から浴室暖房機３０を通じて上流側復路管６１に流れる状態と、温水が往路管５０から浴室暖房機３０を経由せずにバイパス管８１を通じて上流側復路管６１に流れる状態とに切り替えることができる。
【００７２】
また、本発明の第一実施形態において、バイパス管８１及び流路切替弁８２は、次のように設けられていても良い。すなわち、図２に示される変形例において、バイパス管８１は、ファンコンベクタ４０を跨いで配索されている。そして、バイパス管８１の一端が上流側復路管６１に接続されると共にバイパス管８１の他端が下流側復路管６２に接続されることにより、上流側復路管６１と下流側復路管６２とがバイパス管８１によって連結されている。
【００７３】
また、流路切替弁８２は、上流側復路管６１とバイパス管８１との接続部に設けられている。この流路切替弁８２は、バイパス管８１を封止して上流側復路管６１を全長に亘って連通させる状態と、上流側復路管６１におけるバイパス管８１との接続部よりも下流側を封止して上流側復路管６１とバイパス管８１とを連通させる状態とに切り替わる。流路切替弁８２は、通常、バイパス管８１を封止して上流側復路管６１を全長に亘って連通させる状態になっている。
【００７４】
そして、この図２に示される変形例において、暖房システム１０は、次のように動作する。
【００７５】
＜浴室・脱衣室暖房運転＞
リモコン９２の暖房運転選択スイッチが操作されて浴室・脱衣室暖房運転が選択されると、制御ユニット９３が浴室・脱衣室暖房運転モードになる。制御ユニット９３が浴室・脱衣室暖房運転モードになると、上述の本発明の第一実施形態における浴室・脱衣室暖房運転（図１参照）と同様に、熱源機２０にて加熱された温水が往路管５０を通じて浴室暖房機３０の放熱器３２に供給されると共に、放熱器３２を経由した温水が上流側復路管６１を通じてファンコンベクタ４０の放熱器４２に供給される。そして、浴室暖房機３０のファン３３及びファンコンベクタ４０のファン４３が作動されることにより、浴室暖房機３０から浴室１００に温風が吹出されると共にファンコンベクタ４０から脱衣室１０２に温風が吹出される。
【００７６】
＜浴室暖房運転＞
一方、リモコン９２の暖房運転選択スイッチが操作されて浴室暖房運転が選択されると、制御ユニット９３が浴室暖房運転モードになる。制御ユニット９３は、浴室暖房運転モードになると、ガスバーナ２２を点火させると共に、熱源機２０の送風機２１、循環ポンプ２５、及び、浴室暖房機３０のファン３３を作動させる。これにより、浴室暖房機３０から浴室１００に温風が吹出される。
【００７７】
また、制御ユニット９３は、浴室暖房運転モードになると、流路切替弁８２を切替駆動させる。流路切替弁８２が切替駆動されると、上流側復路管６１におけるバイパス管８１との接続部よりも下流側が封止されて上流側復路管６１とバイパス管８１とが連通される。熱源機２０にて加熱された温水は、往路管５０及び浴室暖房機３０の放熱器３２を通過するが、この放熱器３２を経由した温水は、上流側復路管６１からファンコンベクタ４０の放熱器４２を通らずにバイパス管８１及び下流側復路管６２を通じて熱源機２０の熱交換器２４に戻る。これにより、ファンコンベクタ４０からの脱衣室１０２への温風の吹出が停止された状態となる。
【００７８】
このように構成されていると、浴室暖房機３０から浴室１００に温風が吹出されると共にファンコンベクタ４０から脱衣室１０２に温風が吹出される状態と、浴室暖房機３０から浴室１００に温風が吹出されるがファンコンベクタ４０から脱衣室１０２に温風が吹出されない状態とに切り替えることができる。これにより、暖房システム１０の使い勝手を向上させることができる。
【００７９】
なお、図２に示される変形例において、流路切替弁８２は、バイパス管８１と下流側復路管６２との接続部に設けられていても良い。そして、この流路切替弁８２は、バイパス管８１を封止して下流側復路管６２を全長に亘って連通させる状態と、下流側復路管６２におけるバイパス管８１との接続部よりも上流側を封止してバイパス管８１と下流側復路管６２とを連通させる状態とに切り替わっても良い。
【００８０】
このように構成されていても、温水が上流側復路管６１からファンコンベクタ４０を通じて下流側復路管６２に流れる状態と、温水が上流側復路管６１からファンコンベクタ４０を経由せずにバイパス管８１を通じて下流側復路管６２に流れる状態とに切り替えることができる。
【００８１】
また、図２に示される変形例は、図１に示される本発明の第一実施形態と組み合わされて実施されても良い。そして、暖房システム１０は、浴室暖房機３０及びファンコンベクタ４０から温風が吹出される状態と、浴室暖房機３０のみから温風が吹出される状態と、ファンコンベクタ４０のみから温風が吹出される状態とに切り替えられても良い。
【００８２】
また、本発明の第一実施形態において、浴室暖房機３０は、浴室１００に温風を吹出する構成とされていたが、熱源機２０から供給された温水の熱を利用して浴室１００を暖房する構成であれば、その他でも良い。
【００８３】
また、暖房システム１０は、補助暖房機の一例として、ファンコンベクタ４０を備えていたが、浴室暖房機３０を経由した温水の熱を利用して脱衣室１０２を暖房するその他の補助暖房機をファンコンベクタ４０の代わりに備えていても良い。
【００８４】
また、ファンコンベクタ４０は、浴室の隣接領域の一例として、脱衣室１０２を暖房していたが、脱衣室１０２以外の浴室の隣接領域を暖房しても良い。
【００８５】
また、復路管６０には、一つのファンコンベクタ４０が接続されていたが、復路管６０には、複数のファンコンベクタ４０が直列又は並列に接続されていても良い。
【００８６】
また、浴室１００の設定温度は、リモコン９２の温度調節スイッチにより変更可能とされていたが、例えば、制御ユニット９３に予め記憶されたプログラムにより浴室１００の周辺温度等から自動的に設定されても良い。
【００８７】
また、温度センサ９１は、浴室暖房機３０に設けられていたが、浴室１００内のその他の場所に設けられていても良い。
【００８８】
また、上記複数の変形例のうち組み合わせ可能な変形例は、適宜組み合わされて実施されても良い。
【００８９】
［第二実施形態］
次に、本発明の第二実施形態について説明する。
【００９０】
図３に示される本発明の第二実施形態に係る暖房システム１１０は、上述の本発明の第一実施形態に係る暖房システム１０の変形例（図２参照）に対し、次のように構成が変更されている。
【００９１】
つまり、本発明の第二実施形態に係る暖房システム１１０は、上述のファンコンベクタ４０（図２参照）の代わりに、補助暖房機としての浴室床暖房機１４０を備えている。
【００９２】
浴室床暖房機１４０は、浴室１００の床部１０３に設置されている。この浴室床暖房機１４０は、浴室暖房機３０を経由した温水の熱を利用して床部１０３を暖房するものである。具体的に説明すると、浴室床暖房機１４０は、温水が流通される放熱器１４２を有している。この放熱器１４２の入口は、上流側復路管６１を介して浴室暖房機３０の放熱器３２の出口と接続されている。
【００９３】
浴室暖房機３０を経由した温水は、上流側復路管６１を通じて放熱器１４２に供給される。温水が放熱器１４２を流通すると、この温水が床部１０３と熱交換して床部１０３が加温される。放熱器１４２の出口は、下流側復路管６２を介して熱交換器２４の入口と接続されており、放熱器１４２を流通した温水は、下流側復路管６２を通じて熱交換器２４に戻される。また、バイパス管８１は、浴室床暖房機１４０を跨いで配索されている。
【００９４】
続いて、本発明の第二実施形態に係る暖房システム１１０の主な運転動作について説明する。
【００９５】
＜浴室温風・床暖房運転＞
リモコン９２の暖房運転選択スイッチが操作されて浴室温風・床暖房運転が選択されると、制御ユニット９３は、浴室温風・床暖房運転モードになり、ガスバーナ２２を点火させると共に、熱源機２０の送風機２１、循環ポンプ２５、及び、浴室暖房機３０のファン３３を作動させる。これにより、浴室暖房機３０から浴室１００に温風が吹出される。
【００９６】
また、浴室暖房機３０の放熱器３２を流通した温水は、上流側復路管６１を通じて浴室床暖房機１４０の放熱器１４２に供給され放熱器１４２を流通する。温水が放熱器１４２を流通すると、この温水が床部１０３と熱交換して床部１０３が加温される。
【００９７】
また、浴室温風・床暖房運転中に、温度センサ９１からは、吸込口３４に吸い込まれる浴室内の空気の温度に応じた温度検出信号が出力される。制御ユニット９３は、温度調節信号を検出すると、浴室の温度が設定温度になるように温度検出信号に基づいて調節弁２３を駆動させてガスバーナ２２の火力を制御する。
【００９８】
なお、温度センサ９１は、浴室暖房機３０に設けられており、浴室床暖房機１４０には特に温度センサが設けられていないが（浴室の床側の温度制御をしていないが）、浴室床暖房機１４０には、浴室暖房機３０を経由することで浴室暖房機３０よりも温度の低い温水が供給されるので、浴室１００の床部１０３が浴室１００よりも温度が高くなることが抑制される。
【００９９】
＜浴室温風運転＞
一方、リモコン９２の暖房運転選択スイッチが操作されて浴室温風運転が選択されると、制御ユニット９３が浴室温風運転モードとなる。制御ユニット９３は、浴室温風運転モードになると、ガスバーナ２２を点火させると共に、熱源機２０の送風機２１、循環ポンプ２５、及び、浴室暖房機３０のファン３３を作動させる。これにより、浴室暖房機３０から浴室１００に温風が吹出される。
【０１００】
また、制御ユニット９３は、浴室温風運転モードになると、流路切替弁８２を切替駆動させる。流路切替弁８２が切替駆動されると、上流側復路管６１におけるバイパス管８１との接続部よりも下流側が封止されて上流側復路管６１とバイパス管８１とが連通される。熱源機２０にて加熱された温水は、往路管５０及び浴室暖房機３０の放熱器３２を通過するが、この放熱器３２を経由した温水は、上流側復路管６１から浴室床暖房機１４０の放熱器１４２を通らずにバイパス管８１及び下流側復路管６２を通じて熱源機２０の熱交換器２４に戻る。これにより、浴室床暖房機１４０による床部１０３の加温が停止された状態となる。
【０１０１】
続いて、本発明の第二実施形態の作用及び効果について説明する。
【０１０２】
以上詳述したように、本発明の第二実施形態に係る暖房システム１１０によれば、浴室暖房機３０は、熱源機２０から供給された温水の熱を利用して温風を生成すると共に、この温風を浴室１００に吹出する。また、浴室暖房機３０と熱源機２０とを接続する復路管６０には、浴室床暖房機１４０が接続されており、浴室床暖房機１４０は、浴室暖房機３０を経由した温水の熱を利用して浴室１００の床部１０３を加温する。従って、浴室暖房機３０により浴室１００に温風が吹出されることに加え、浴室床暖房機１４０により浴室１００の床部１０３が加温されるので、入浴時の快適性を向上させることができる。
【０１０３】
しかも、浴室床暖房機１４０は、浴室暖房機３０と熱源機２０とを接続する復路管６０に接続されており、浴室暖房機３０を経由した温水の熱を利用して浴室１００の床部１０３を暖房する。つまり、この暖房システム１１０では、一つの熱源機２０に対して浴室暖房機３０及び浴室床暖房機１４０が直列に接続されており、浴室暖房運転では、一つの温水循環回路において浴室暖房機３０及び浴室床暖房機１４０の両方で放熱が行われる。このため、浴室暖房機３０及び浴室床暖房機１４０を通過し放熱した温水が温度の低い状態で熱源機２０に戻される。従って、熱源機２０からの往きの温水の温度と、熱源機２０への戻りの温水の温度との差を大きくすることができるので、熱源機２０の燃焼効率を向上させることができる。
【０１０４】
このように、本発明の第二実施形態に係る暖房システム１１０によっても、入浴時の快適性の向上と、熱源機２０の燃焼効率の向上とを両立させることができる。
【０１０５】
また、この暖房システム１１０によれば、浴室暖房機３０による浴室１００の暖房と、浴室床暖房機１４０による浴室１００の床部１０３の暖房とが行われているときには、浴室暖房機３０に設けられた温度センサ９１から出力された信号に基づいてガスバーナ２２の火力が制御ユニット９３により制御される。これにより、浴室１００の温度が設定温度を超えることを抑制することができるので、入浴時の快適性を確保することができる。
【０１０６】
また、温度センサ９１は、浴室暖房機３０及び浴室床暖房機１４０のうち浴室暖房機３０に設けられており、浴室床暖房機１４０では温度の検出を行わないので、浴室床暖房機１４０の構造を簡素化することができる。
【０１０７】
なお、上述のように、温度センサ９１を浴室暖房機３０に設けることで浴室側の温度制御をする場合でも、浴室床暖房機１４０には、浴室暖房機３０を経由することで浴室暖房機３０よりも温度の低い温水が供給されるので、浴室１００の床部１０３が浴室１００よりも温度が高くなることを抑制することができる。
【０１０８】
また、復路管６０を通じて浴室暖房機３０から熱源機２０に戻る温水を浴室床暖房機１４０の熱源として有効に活用するので、暖房システム１１０の構成を簡易化することができる。
【０１０９】
また、浴室暖房運転では、浴室１００の上部に設置された浴室暖房機３０によって浴室１００に温風が吹出されると共に、浴室１００の床部１０３に設置された浴室床暖房機１４０によって床部１０３が加温される。従って、浴室１００を素早く暖房することができるので、浴室１００の利便性を向上させることができる。
【０１１０】
また、リモコン９２の切替操作に応じて、浴室暖房機３０から浴室１００に温風が吹出されると共に浴室床暖房機１４０によって床部１０３が加温される状態と、浴室暖房機３０から浴室１００に温風が吹出されるが浴室床暖房機１４０によって床部１０３が加温されない状態とに切り替えることができる。これにより、暖房システム１１０の使い勝手を向上させることができる。
【０１１１】
続いて、本発明の第二実施形態の変形例について説明する。
【０１１２】
本発明の第二実施形態において、流路切替弁８２は、上流側復路管６１とバイパス管８１との接続部に設けられていたが、バイパス管８１と下流側復路管６２との接続部に設けられていても良い。そして、流路切替弁８２の切替に応じて、温水が上流側復路管６１から浴室床暖房機１４０を通じて下流側復路管６２に流れる状態と、温水が上流側復路管６１から浴室床暖房機１４０を経由せずにバイパス管８１を通じて下流側復路管６２に流れる状態とに切り替えられても良い。
【０１１３】
また、バイパス管８１及び流路切替弁８２は、次のように設けられていても良い。すなわち、図４に示される変形例において、バイパス管８１は、上述の本発明の第一実施形態（図１参照）と同様に、浴室暖房機３０を跨いで配索されている。また、流路切替弁８２は、往路管５０とバイパス管８１との接続部に設けられている。この流路切替弁８２の切替動作も、上述の本発明の第一実施形態（図１参照）と同様である。
【０１１４】
そして、この図４に示される変形例において、暖房システム１１０は、次のように動作する。
＜浴室温風・床暖房運転＞
リモコン９２の暖房運転選択スイッチが操作されて浴室温風・床暖房運転が選択されると、制御ユニット９３が浴室温風・床暖房運転モードになる。制御ユニット９３が浴室温風・床暖房運転モードになると、上述の本発明の第二実施形態における浴室・脱衣室暖房運転（図３参照）と同様に、熱源機２０にて加熱された温水が往路管５０を通じて浴室暖房機３０の放熱器３２に供給されると共に、放熱器３２を経由した温水が上流側復路管６１を通じて浴室床暖房機１４０の放熱器１４２に供給される。そして、浴室暖房機３０のファン３３が作動されることにより、浴室暖房機３０から浴室１００に温風が吹出されると共に、放熱器１４２を流通する温水が床部１０３と熱交換して床部１０３が加温される。
【０１１５】
＜床暖房運転＞
一方、リモコン９２の暖房運転選択スイッチが操作されて床暖房運転が選択されると、制御ユニット９３が床暖房運転モードになる。制御ユニット９３は、床暖房運転モードになると、ガスバーナ２２を点火させると共に、熱源機２０の送風機２１、及び、循環ポンプ２５を作動させるが、浴室暖房機３０のファン３３については停止状態とする。これにより、浴室暖房機３０からの温風の吹出が停止された状態となる。
【０１１６】
また、制御ユニット９３は、床暖房運転モードになると、流路切替弁８２を切替駆動させる。流路切替弁８２が切替駆動されると、往路管５０におけるバイパス管８１との接続部よりも下流側が封止され、往路管５０とバイパス管８１とが連通される。また、熱源機２０にて加熱された温水は、往路管５０から浴室暖房機３０の放熱器３２を通らずにバイパス管８１及び上流側復路管６１を通じて浴室床暖房機１４０の放熱器１４２に供給される。これにより、浴室床暖房機１４０によって床部１０３が加温される。
【０１１７】
このように構成されていると、浴室暖房機３０によって浴室１００に温風が吹出されると共に浴室床暖房機１４０によって床部１０３が加温される状態と、浴室暖房機３０によって浴室１００に温風が吹出されないが浴室床暖房機１４０によって床部１０３が加温される状態とに切り替えることができる。これにより、暖房システム１１０の使い勝手を向上させることができる。
【０１１８】
なお、床暖房運転モードでは、浴室床暖房機１４０による床部１０３の加温のみが行われるので、好ましくは、制御ユニット９３により調節弁２３が駆動されてガスバーナ２２が弱火に制御される。
【０１１９】
また、図４に示される変形例では、浴室暖房停止時に、リモコン９２の温度調節スイッチの操作に応じてガスバーナ２２の火力が制御されて温水の温度が調節され、これにより、床部１０３の温度が調節されても良い。
【０１２０】
また、図４に示される変形例において、流路切替弁８２は、バイパス管８１と上流側復路管６１との接続部に設けられていても良い。そして、この流路切替弁８２の切替に応じて、温水が往路管５０から浴室暖房機３０を通じて上流側復路管６１に流れる状態と、温水が往路管５０から浴室暖房機３０を経由せずにバイパス管８１を通じて上流側復路管６１に流れる状態とに切り替えられても良い。
【０１２１】
また、図４に示される変形例は、図３に示される本発明の第二実施形態と組み合わされて実施されても良い。そして、暖房システム１１０は、浴室暖房機３０及び浴室床暖房機１４０によって浴室１００が暖房される状態と、浴室暖房機３０のみによって浴室１００が暖房される状態と、浴室床暖房機１４０のみによって浴室１００が暖房される状態とに切り替えられても良い。
【０１２２】
また、本発明の第二実施形態において、浴室暖房機３０は、浴室１００に温風を吹出する構成とされていたが、熱源機２０から供給された温水の熱を利用して浴室１００を暖房する構成であれば、その他でも良い。
【０１２３】
また、暖房システム１１０は、補助暖房機の一例として、浴室床暖房機１４０を備えていたが、浴室暖房機３０を経由した温水の熱を利用して浴室１００を暖房するその他の補助暖房機（例えば、浴室側壁暖房機など）を浴室床暖房機１４０の代わりに備えていても良い。
【０１２４】
また、復路管６０には、一つの浴室床暖房機１４０が接続されていたが、復路管６０には、複数の浴室床暖房機１４０が直列又は並列に接続されていても良い。
【０１２５】
また、浴室１００の設定温度は、リモコン９２の温度調節スイッチにより変更可能とされていたが、例えば、制御ユニット９３に予め記憶されたプログラムにより浴室１００の周辺温度等から自動的に設定されても良い。
【０１２６】
また、温度センサ９１は、浴室暖房機３０に設けられていたが、浴室１００内のその他の場所に設けられていても良い。
【０１２７】
また、上記複数の変形例のうち組み合わせ可能な変形例は、適宜組み合わされて実施されても良い。
【０１２８】
また、上記第一実施形態に係る暖房システム１０と第二実施形態に係る暖房システム１１０とは、組み合わされて実施されても良い。
【０１２９】
また、上記第一実施形態及び第二実施形態において、熱源機２０は、熱交換器２４をガスバーナ２２で直接的に加熱することにより、復路管６０を通じて戻される温水を加熱する構成とされていた。しかしながら、熱源機２０は、熱交換器２４と熱交換可能な追い焚き回路と、この追い焚き回路に温水を循環させるふろ回路ポンプと、追い焚き回路を流れる温水を加熱するガスバーナとを有し、熱交換器２４をガスバーナで間接的に加熱する構成とされていても良い。つまり、熱源機２０は、復路管６０を通じて戻される温水をガスバーナの熱を利用して加熱する構成であれば、どのよう方式でも良い。
【０１３０】
以上、本発明の一例について説明したが、本発明は、上記に限定されるものでなく、上記以外にも、その主旨を逸脱しない範囲内において種々変形して実施可能であることは勿論である。
【符号の説明】
【０１３１】
１０，１１０・・・暖房システム、２０・・・熱源機、２２・・・ガスバーナ、３０・・・浴室暖房機、４０・・・ファンコンベクタ（補助暖房機の一例）、４２・・・放熱器、４３・・・ファン、４４・・・起動スイッチ、５０・・・往路管、６０・・・復路管、６１・・・上流側復路管、６２・・・下流側復路管、８１・・・バイパス管、８２・・・流路切替弁、９１・・・温度センサ、９３・・・制御ユニット、１００・・・浴室、１０２・・・脱衣室（浴室の隣接領域の一例）、１０３・・・床部、１４０・・・浴室床暖房機（補助暖房機の一例）
【図１】
2014190623.tif 000003
【図２】
2014190623.tif 000004
【図３】
2014190623.tif 000005
【図４】
2014190623.tif 000006